(57)【要約】【課題】簡易な構成で部品点数が少なく、また戸体に力が加わっても係合掛部が枠体から外れないようにロックすることのできる戸体の固定装置を提供する。【解決手段】本体部３１と、本体部３１に対して移動自在で係合掛部３２ｂを有する可動部３２と、可動部３２と連係し移動させる操作部３３とを有し、操作部３３は、本体部３１の室内面に設けられて摺動自在とされ、本体部３１の内部側に嵌合部３３ｅを備え、本体部３１は操作部３３の嵌合部３３ｅと嵌合自在な被嵌合部３１ｈを備え、操作部３３を一方向に摺動させることで、可動部３２の係合掛部３２ｂが枠体１に対して掛止め自在であり、係合掛部３２ｂが枠体１に対して掛止められる位置まで操作部３３を一方向に摺動した状態で、操作部３３は一方向と異なる方向に摺動自在とされ、摺動により嵌合部３３ｅを本体部３１の被嵌合部３１ｈに嵌合自在とした。【選択図】図４
2012046875.tif 000002
【特許請求の範囲】
【請求項１】
上下框と左右の縦框を方形状に框組みしてなる框体を有してなる戸体に設けられ、該戸体を建物開口部に設けられる枠体に対して掛止める係合掛部を有する戸体の固定装置において、
前記框体の角部に設けられる本体部と、該本体部に対して移動自在で前記係合掛部を有する可動部と、該可動部と連係する操作部とを有してなり、
前記操作部は、前記本体部の室内面に設けられて摺動自在とされると共に、前記本体部の内部側に嵌合部を備え、前記本体部は前記操作部の嵌合部と嵌合自在な被嵌合部を備え、
前記操作部を一方向に摺動させることで、前記可動部の係合掛部が前記枠体に対して掛止め自在であり、前記係合掛部が前記枠体に対して掛止められる位置まで前記操作部を一方向に摺動した状態で、前記操作部は前記一方向と異なる方向に摺動自在とされ、該摺動により前記嵌合部を前記本体部の被嵌合部に嵌合自在としたことを特徴とする戸体の固定装置。
【請求項２】
前記本体部は前記可動部を前記枠体に対する掛止め方向に付勢する付勢部材を備えることを特徴とする請求項１記載の戸体の固定装置。
【請求項３】
前記操作部は前記本体部の内部方向に向かって突出し可動部と連係する連係部を備え、前記可動部は前記操作部の連係部を挿通させる連係孔を備え、該連係孔は前記一方向と異なる方向に沿って長い長孔状に形成されることを特徴とする請求項２記載の戸体の固定装置。
【請求項４】
前記本体部は室内面に前記操作部の連係部を挿通させる挿通孔を備え、該挿通孔は前記係合掛部の掛止め方向に沿って伸びると共に、下端部に前記係合掛部の掛止め方向と直交する方向に伸びる係止部を備え、前記操作部の連係部は前記挿通孔の係止部に係止されることで前記付勢部材による前記可動部の付勢に対抗することを特徴とする請求項３記載の戸体の固定装置。
【請求項５】
前記本体部は前記挿通孔の側部に前記被嵌合部を備え、該被嵌合部は前記係合掛部の掛止め方向における任意の位置で前記嵌合部を嵌合自在であることを特徴とする請求項４記載の戸体の固定装置。
【請求項６】
前記本体部は前記上框と縦框にそれぞれ挿入されて両者を連結する挿入部を有することを特徴とする請求項１〜５のいずれか１項に記載の戸体の固定装置。
【請求項７】
上下框と左右の縦框を方形状に框組みしてなる框体を有してなる戸体において、前記上框と縦框は請求項６記載の戸体の固定装置により連結され、前記下框と縦框は係合掛部を有する連結部材により連結されることを特徴とする戸体。
【請求項８】
建物開口部に設けられる枠体内に請求項７記載の戸体を納めたことを特徴とするサッシ。
【発明の詳細な説明】
【技術分野】
【０００１】
本発明は、枠体内に納められる戸体を枠体に対して固定する戸体の固定装置とそれを有する戸体及びサッシに関し、特に操作部の操作により枠体に対する係合掛部が出没自在で、さらに係合掛部が突出した状態で操作部をロックすることのできる戸体の固定装置とそれを有する戸体及びサッシに関する。
【背景技術】
【０００２】
建物開口部に設置される枠体内には、網戸などの戸体が設けられる。戸体は、上下框と左右の縦框を方形状に框組みしてなる框体を備え、この框体内に網部材等を納めるようにしている。サッシが辷り出し窓や開き窓であって、障子の開閉を枠体の室内側に設けられる操作ハンドルで行う場合、戸体である網戸は、枠体に対して嵌め殺し状に固定される。
【０００３】
戸体を構成する框体は、上框と縦框、下框と縦框を、それぞれ連結部材で連結して框組みされる。連結部材には係合掛部を設けておき、この係合掛部を枠体に対して掛止めることにより、戸体を枠体に固定する。このとき、少なくとも一部の連結部材については、係合掛部を連結部材の本体部に対して出没自在となるようにしておき、室内面側の操作部を摺動させることにより、係合掛部を枠体に対して掛止め自在とした固定装置とすることが知られている。このような戸体の固定装置としては、例えば特許文献１に挙げるようなものがある。
【先行技術文献】
【特許文献】
【０００４】
【特許文献１】特開２００９−２２８３６４号公報
【発明の概要】
【発明が解決しようとする課題】
【０００５】
従来の戸体の固定装置は、操作部と係合掛部とを有する部材が一体的に形成されており、係合掛部が枠体に対して掛止められた状態で、これが枠体から外れることがないように、係合掛部を有する部材に対して移動しないようにロックするロック部材が別に設けられていた。このため、構成が複雑になり、部品点数も多くなるという問題があった。
【０００６】
また、戸体の固定装置としては、戸体に力が加わった場合であっても、係合掛部が枠体から外れることのないようにする必要がある。
【０００７】
本発明は前記課題を鑑みてなされたものであり、簡易な構成で部品点数が少なく、また戸体に力が加わっても係合掛部が枠体から外れないようにロックすることのできる戸体の固定装置とそれを有する戸体及びサッシを提供することを目的とする。
【課題を解決するための手段】
【０００８】
前記課題を解決するため、本発明に係る戸体の固定装置は、上下框と左右の縦框を方形状に框組みしてなる框体を有してなる戸体に設けられ、該戸体を建物開口部に設けられる枠体に対して掛止める係合掛部を有する戸体の固定装置において、
前記框体の角部に設けられる本体部と、該本体部に対して移動自在で前記係合掛部を有する可動部と、該可動部と連係する操作部とを有してなり、
前記操作部は、前記本体部の室内面に設けられて摺動自在とされると共に、前記本体部の内部側に嵌合部を備え、前記本体部は前記操作部の嵌合部と嵌合自在な被嵌合部を備え、
前記操作部を一方向に摺動させることで、前記可動部の係合掛部が前記枠体に対して掛止め自在であり、前記係合掛部が前記枠体に対して掛止められる位置まで前記操作部を一方向に摺動した状態で、前記操作部は前記一方向と異なる方向に摺動自在とされ、該摺動により前記嵌合部を前記本体部の被嵌合部に嵌合自在としたことを特徴として構成されている。
【０００９】
また、本発明に係る戸体の固定装置は、前記本体部は前記可動部を前記枠体に対する掛止め方向に付勢する付勢部材を備えることを特徴として構成されている。
【００１０】
さらに、本発明に係る戸体の固定装置は、前記操作部は前記本体部の内部方向に向かって突出し可動部と連係する連係部を備え、前記可動部は前記操作部の連係部を挿通させる連係孔を備え、該連係孔は前記一方向と異なる方向に沿って長い長孔状に形成されることを特徴として構成されている。
【００１１】
さらにまた、本発明に係る戸体の固定装置は、前記本体部は室内面に前記操作部の連係部を挿通させる挿通孔を備え、該挿通孔は前記係合掛部の掛止め方向に沿って伸びると共に、下端部に前記係合掛部の掛止め方向と直交する方向に伸びる係止部を備え、前記操作部の連係部は前記挿通孔の係止部に係止されることで前記付勢部材による前記可動部の付勢に対抗することを特として構成されている。
【００１２】
そして、本発明に係る戸体の固定装置は、前記本体部は前記挿通孔の側部に前記被嵌合部を備え、該被嵌合部は前記係合掛部の掛止め方向における任意の位置で前記嵌合部を嵌合自在であることを特徴として構成されている。
【００１３】
また、本発明に係る戸体の固定装置は、前記本体部は前記上框と縦框にそれぞれ挿入されて両者を連結する挿入部を有することを特徴として構成されている。
【００１４】
さらに、本発明に係る戸体は、上下框と左右の縦框を方形状に框組みしてなる框体を有してなる戸体において、前記上框と縦框は前記戸体の固定装置により連結され、前記下框と縦框は係合掛部を有する連結部材により連結されることを特徴として構成されている。
【００１５】
さらにまた、本発明に係るサッシは、建物開口部に設けられる枠体内に前記戸体を納めたことを特徴として構成されている。
【発明の効果】
【００１６】
本発明に係る戸体の固定装置によれば、操作部は、本体部の室内面に設けられて摺動自在とされると共に、本体部の内部側に嵌合部を備え、本体部は操作部の嵌合部と嵌合自在な被嵌合部を備え、操作部を一方向に摺動させることで、可動部の係合掛部が枠体に対して掛止め自在であり、係合掛部が枠体に対して掛止められる位置まで操作部を一方向に摺動した状態で、操作部は一方向と異なる方向に摺動自在とされ、摺動により嵌合部を本体部の被嵌合部に嵌合自在としたことにより、部品点数の少ない簡易な構成で固定装置を形成できると共に、操作部の確実なロックを実現することができる。
【００１７】
また、本発明に係る戸体の固定装置によれば、本体部は可動部を枠体に対する掛止め方向に付勢する付勢部材を備えることにより、係合掛部の枠体に対する係止を付勢部材により強固になすことができる。
【００１８】
さらに、本発明に係る戸体の固定装置によれば、操作部は本体部の内部方向に向かって突出し可動部と連係する連係部を備え、可動部は操作部の連係部を挿通させる連係孔を備え、連係孔は一方向と異なる方向に沿って長い長孔状に形成されることにより、可動部は操作部のロック動作と干渉せず、一方向にのみ移動して枠体に対する強固な掛止をなすことができる。
【００１９】
さらにまた、本発明に係る戸体の固定装置によれば、本体部は室内面に操作部の連係部を挿通させる挿通孔を備え、挿通孔は係合掛部の掛止め方向に沿って伸びると共に、下端部に係合掛部の掛止め方向と直交する方向に伸びる係止部を備え、操作部の連係部は挿通孔の係止部に係止されることで付勢部材による可動部の付勢に対抗することにより、本体部に形成する孔形状により簡易な構成で操作部の付勢に対抗する係止をなすことができる。
【００２０】
そして、本発明に係る戸体の固定装置によれば、本体部は挿通孔の側部に被嵌合部を備え、被嵌合部は係合掛部の掛止め方向における任意の位置で嵌合部を嵌合自在であることにより、係合掛部の係止位置が異なっていても、確実に嵌合部と被嵌合部とを嵌合させて操作部をロックすることができる。
【図面の簡単な説明】
【００２１】
【図１】本実施形態における戸体の固定装置を有するサッシの縦断面図である。
【図２】サッシの横断面図である。
【図３】網戸の室内側から見た正面図である。
【図４】固定装置の各状態における斜視図である。
【図５】操作部の背面図と平面図及び側面図である。
【図６】可動部の正面側から見た斜視図及び背面側から見た斜視図である。
【図７】本体部の室外側から見た背面図と背面図のＡ−Ａ断面図である。
【図８】各部品を組み立てた状態の固定装置の断面図である。
【図９】固定装置の操作部と本体部の関係を表した正面図である。
【発明を実施するための形態】
【００２２】
本発明の実施形態について図面に沿って詳細に説明する。図１には本実施形態における戸体の固定装置を有するサッシの縦断面図を、図２にはサッシの横断面図を、それぞれ示している。これら各図に示すように、サッシは、建物開口部に設置される枠体１内に障子２を開閉自在に納め、枠体１内の障子２よりも室内側には、戸体である網戸３を固定して構成されている。
【００２３】
枠体１は、上枠１０と下枠１１及び左右の縦枠１２、１２を方形状に枠組みして構成されている。上枠１０の室内側には、樹脂上枠１３が配設されており、下枠１１の室内側には、樹脂下枠１４が配設されている。樹脂上枠１３の内周面には掛止部１３ａが形成され、樹脂下枠１４の内周面にも掛止部１４ａが形成され、網戸３は上下でそれぞれ掛止部１３ａ、１４ａに係止されることで固定されている。
【００２４】
障子２は、方形状に框組みされてなる障子框体４内にガラス板からなるパネル体５を納めて構成されている。また、障子框体４と枠体１は開閉自在となるように連係されており、下枠１１から室内側に突出するように設けられる開閉ハンドル６によって開閉自在となるように構成されている。
【００２５】
網戸３は、上框２０と下框２１及び左右の縦框２２、２２を方形状に框組みしてなる框体２３に網部材２４を納めて構成されている。上框２０と縦框２２は、固定装置３０によって連結されており、この固定装置３０から突出する係合掛部３２ｂにより、枠体１の掛止部１３ａに対して係止されている。下框２１と縦框２２は、連結部材４０により連結されており、この連結部材４０から突出する係合掛部４１ｃにより、枠体１の掛止部１４ａに対して係止されている。
【００２６】
網戸３の構成についてより詳細に説明する。図３には、網戸３の室内側から見た正面図を示している。この図に示すように、框体２３を構成する上框２０と縦框２２を連結する上部２箇所の角部に、それぞれ固定装置３０が配置されており、框体２３を構成する下框２１と縦框２２を連結する下部２箇所の角部に、それぞれ連結部材４０が配置されている。
【００２７】
図３では、固定装置３０の係合掛部３２ｂが突出していない状態を示している。固定装置３０の係合掛部３２ｂは、固定装置３０の室内側に設けられた操作部３３を摺動操作することにより、突出するようになっている。網戸３を枠体１に取付ける際には、まず、図３に示す状態で、連結部材４０の係合掛部３２ｂを下枠１１の掛止部１４ａに対して係止させながら網戸３を所定位置に配置し、それから操作部３３を摺動操作して固定装置３０の係合掛部３２ｂを突出させ、上枠１０の掛止部１３ａに対して係止させる。さらに、操作部３３の摺動操作によって、固定装置３０を構成する本体部３１に対して操作部３３を嵌合状態とすることにより、操作部３３をロックして係合掛部３２ｂが掛止部１３ａから外れないようにする。
【００２８】
固定装置３０についてより詳細に説明する。図４には、固定装置３０の各状態における斜視図を示している。図４（ａ）は、固定装置３０の係合掛部３２ｂが突出しておらず、かつ操作部３３がロックされた状態を示している。この状態から操作部３３を上框２０側に摺動させることにより、操作部３３に対するロックが解除され、操作部３３は後述する付勢部材３４の付勢力により上方に摺動し、それに伴い可動部３２も上方に移動し、図４（ｂ）に示す状態となる。図４（ｂ）は、固定装置３０の係合掛部３２ｂを突出させ、操作部３３がロックされていない状態を示している。この状態から操作部３３をさらに上框２０側に摺動させることにより、操作部３３は本体部３１に対してロックされ、操作部３３及び可動部３２が移動しないようにされる。図４（ｃ）は、固定装置３０の係合掛部３２ｂが突出し、かつ操作部３３がロックされた状態を示している。
【００２９】
固定装置３０は、框体２３の角部に配置される本体部３１と、本体部３１に対して上下方向に移動自在である可動部３２と、可動部３２を移動させるように本体部３１の室内側で摺動自在な操作部３３とを有して構成されている。
【００３０】
本体部３１は、框体２３の角部を構成し露出する角構成部３１ａと、角構成部３１ａから突出状に形成され上框２０と縦框２２にそれぞれ挿入固定される挿入部３１ｂとを有している。操作部３３は、本体部３１の室内面３１ｄに露出して摺動自在とされている。また、本体部３１の室外側には、可動部３２を納めて移動自在とする収納部３１ｃが形成されている。角構成部３１ａの下方側部には、操作部３３による操作の目印となる矢印が印字されている。
【００３１】
可動部３２は、本体部３１の収納部３１ｃに収納される可動本体部３２ａを備え、可動本体部３２ａの室外側上端部に係合掛部３２ｂが一体的に形成されている。操作部３３は、本体部３１の室内面３１ｄに露出する方形板状の室内露出部３３ａを備え、本体部３１の内部で可動部３２及び本体部３１と連係する。
【００３２】
固定装置３０を構成する各部品について説明する。図５には、操作部３３の背面図（図５（ａ））と平面図（図５（ｂ））、及び側面図（図５（ｃ））を示している。図５（ａ）に示すように、操作部３３は、室内側に露出する室内露出部３３ａと、室内露出部３３ａの背面側に突出する連係部３３ｂとを有して構成されている。連係部３３ｂは、本体部３１を介して可動部３２に対して挿通され、室内露出部３３ａの摺動に伴い可動部３２を移動させるように連係する。
【００３３】
また、連係部３３ｂは、先端部が矢尻状となっており、可動部３２と嵌合自在とされている。連係部３３ｂの先端部よりも根元側には、突起３３ｃが上下二箇所に形成されている。これは、後述するように、可動部３２と連係してクリック感触を生じさせるものである。
【００３４】
図５（ｂ）に示すように、連係部３３ｂの突起３３ｃよりも根元側には、左右に向かってそれぞれ突出する当接部３３ｄが形成されている。当接部３３ｄは、可動部３２に当接して、操作部３３の摺動範囲を規制する。
【００３５】
図５（ｃ）に示すように、室内露出部３３ａの背面には、連係部３３ｂの側部に嵌合部３３ｅが形成されている。嵌合部３３ｅは、室内露出部３３ａの背面に複数の凹凸を形成してなるものであり、図４（ｃ）に示す操作部３３のロック状態において、本体部３１に対して嵌合される。
【００３６】
図６には、可動部３２の正面側から見た斜視図（図６（ａ））及び背面側から見た斜視図（図６（ｂ））を示している。可動部３２は、本体部３１の収納部３１ｃと同等の幅を有して収納される可動本体部３２ａと、係合掛部３２ｂとを有して構成されている。可動本体部３２ａの下面からは、棒状に突出する挿通突起３２ｄが形成されている。ここには、バネからなる付勢部材３４が挿通される。
【００３７】
また、可動本体部３２ａには、横方向に長い長孔状とされた連係孔３２ｃが形成されている。連係孔３２ｃには、操作部３３の連係部３３ｂが挿通されて嵌合する。操作部３３の連係部３３ｂは、連係孔３２ｃの上下方向幅と同等の径を有するのに対し、連係孔３２ｃの長手方向である横方向に沿っては摺動自在とされる。したがって、操作部３３を上下方向に摺動させた場合、可動部３２は連係部３３ｂによって上下方向に移動するのに対し、操作部３３を横方向に摺動させた場合、連係部３３ｂは連係孔３２ｃ内を摺動するので、可動部３２は移動しない。つまり、可動部３２は係合掛部３２ｂの掛止方向である上下方向にのみ移動するものであって、操作部３３の横方向への摺動は、可動部３２の動作に影響を与えない。また、連係孔３２ｃは、正面側の両側部が左右にそれぞれ延長された被当接部３２ｆを有している。被当接部３２ｆには、操作部３３の当接部３３ｄが当接自在とされ、この当接により、操作部３３の左右方向における摺動範囲が規制される。
【００３８】
可動本体部３２ａの連係孔３２ｃには、上下面にそれぞれ複数の凹部３２ｅが形成されている。凹部３２ｅは、操作部３３の連係部３３ｂに形成される突起３３ｃと係脱するものであり、図４（ａ）に示す操作部３３のロック状態のときと、図４（ｂ）に示す操作部３３が付勢力により摺動される状態のとき、及び図４（ｃ）に示す操作部３３のロック状態のときにおける、突起３３ｃの位置に対応してそれぞれ形成されている。これにより、操作部３３を横方向に摺動させた際に、操作にクリック感触を生じさせることができる。操作部３３の操作に伴いクリック感触を生じさせることにより、網戸３の固定及び取り外し作業において、作業が確実になされていることを確認しながら操作を行うことができ、中途半端な状態での掛止めやロック、取り外しなどを防止して、安全性を向上させることができる。
【００３９】
図７には、本体部３１の室外側から見た背面図（図７（ａ））と該背面図のＡ−Ａ断面図（図７（ｂ））を示している。図７（ａ）の背面図に示すように、本体部３１の室内面３１ｄには、係合掛部３２ｂの掛止方向である上下方向に長い挿通孔３１ｅが形成されている。挿通孔３１ｅには、操作部３３の連係部３３ｂが挿通される。また、挿通孔３１ｅの下端部には、係合掛部３２ｂの掛止め方向と直交する方向である横方向に伸びる係止部３１ｆが形成されている。係止部３１ｆは、連係部３３ｂの径と同等の上下方向幅を有している。これにより、挿通孔３１ｅは全体として略Ｌ字状をなすように形成されている。
【００４０】
挿通孔３１ｅの下部であって係止部３１ｆと反対側には、角部から張り出すように位置決め部３１ｇが形成されている。位置決め部３１ｇは、係止部３１ｆに配置されていた操作部３３の連係部３３ｂが、横方向に摺動されるのに伴い当接する部分であって、連係部３３ｂは、この位置で上下方向に摺動自在となって、付勢部材３４による付勢力を受ける。
【００４１】
本体部３１には、可動部３２を移動自在に保持する収納部３１ｃが形成され、その下部にはバネからなる付勢部材３４を収納する付勢部材収納部３１ｊが形成される。また、挿通孔３１ｅの下辺には、１つの凹部３１ｉが形成されている。これは、操作部３３の連係部３３ｂと可動部３２の凹部３２ｅとの間で生じる係脱の際に、本体部３１が干渉しないようにするために設けられている。ただし、干渉が生じない場合には、凹部３１ｉを設ける必要はない。
【００４２】
図７（ａ）及び図７（ｂ）に示すように、本体部３１の室内面３１ｄのうち正面側には、挿通孔３１ｅの側部に被嵌合部３１ｈが形成されている。被嵌合部３１ｈは、複数の凹凸を形成してなり、挿通孔３１ｅの側部において位置決め部３１ｇの上端位置より上方の略全長に渡って設けられている。操作部３３の嵌合部３３ｅは、被嵌合部３１ｈの任意の位置で嵌合することができる。また、被嵌合部３１ｈは、嵌合部３３ｅと対向する側の先端部が先細状となるように形成されており、嵌合部３３ｅと嵌合しやすい形状とされている。
【００４３】
図８には、各部品を組み立てた状態の固定装置３０の断面図を示している。この図に示すように、操作部３３の連係部３３ｂは、本体部３１の挿通孔３１ｅを介して可動部３２の連係孔３２ｃに嵌合される。この図では、操作部３３の嵌合部３３ｅも図示しているが、この嵌合部３３ｅは、本体部３１の被嵌合部３１ｈと室内外方向の同位置に形成されており、操作部３３の摺動に伴い、被嵌合部３１ｈに対して嵌合自在となるように配置されている。
【００４４】
また、前述のように、本体部３１の付勢部材収納部３１ｊには、バネからなる付勢部材３４が収納されており、さらに可動部３２の挿通突起３２ｄが付勢部材３４の内部に挿通されている。付勢部材３４は、上端が可動部３２の下面に当接し、可動部３２を掛止方向である上方に付勢している。
【００４５】
図９には、固定装置３０の操作部３３と本体部３１の関係を表した正面図を示している。図９（ａ）は、図４（ａ）の状態である。挿通孔３１ｅに挿通される操作部３３の連係部３３ｂは、挿通孔３１ｅの領域内で摺動することができる。図９（ａ）に示す操作部３３のロック状態において、連係部３３ｂは挿通孔３１ｅの係止部３１ｆに位置しており、操作部３３は上下方向に移動が規制される。これにより、操作部３３は付勢部材３４による付勢に対抗し、ロック状態を維持することができる。
【００４６】
図９（ｂ）に示すように、連係部３３ｂが係止部３１ｆに位置した状態から操作部３３を横方向に摺動させ、連係部３３ｂを位置決め部３１ｇに当接させると、連係部３３ｂについて上下方向の移動に対する規制が解除されるから、操作部３３は付勢部材３４による上方への付勢力により、上方に向かって摺動する。操作部３３は、係合掛部３２ｂが枠体１に係止されるまで摺動し、付勢部材３４により上方に付勢された状態で図９（ｃ）のように停止する。このとき、可動部３２は付勢部材により付勢されているので、係合掛部３２ｂは、確実に最大の掛かり代で枠体１に対して係止される。
【００４７】
さらに、図９（ｄ）のように、操作部３３を横方向に摺動させることにより、操作部３３の嵌合部３３ｅが本体部３１の被嵌合部３１ｈに対して嵌合する。嵌合部３３ｅと被嵌合部３１ｈは、それぞれ横方向に沿って伸びる凹凸からなり、これらが嵌合することで、両者は縦方向の荷重に対抗して移動することがない。すなわち、これによって、操作部３３が上下方向に動かないようにロックすることができる。
【００４８】
係合掛部３２ｂが枠体１に係止される位置は、枠体１の構造や寸法誤差などにより、それぞれ上下方向位置が異なる。この係止位置が異なっていても、本体部３１の被嵌合部３１ｈは、上下方向任意の位置で嵌合部３３ｅを嵌合させることができるから、係止位置から横方向に操作部３３を摺動することで、確実に両者を嵌合させることができる。
【００４９】
清掃や交換のため、網戸３を枠体１から取り外す場合には、これまで説明した手順を逆に行えばよい。すなわち、図９（ｄ）の状態から操作部３３を横方向に摺動させてロック状態を解除し、付勢部材３４による付勢に対抗して操作部３３を下方に摺動させ、操作部３３を下端まで摺動させたら、横方向にさらに移動させ、連係部３３ｂを係止部３１ｆに係止させて操作部３３をロック状態とする。このとき、図９（ａ）に示すように、係合掛部３２ｂは本体部３１側に引っ込んだ状態となり、枠体１に対する係止状態も解除されるから、網戸３を枠体１から取り外すことができる。
【００５０】
このように、係合掛部３２ｂを有する可動部３２を本体部３１に対して移動自在に設け、操作部３３は本体部３１を介して可動部３２と連係し、操作部３３の嵌合部３３ｅと本体部３１の被嵌合部３１ｈとを嵌合させることで、操作部３３のロックをなすようにしたので、部品点数の少ない簡易な構成で固定装置３０を形成できると共に、操作部３３の確実なロックを実現することができる。一方で、網戸３の取り外しも容易に行うことができるので、網戸３の清掃や交換も容易にすることができる。また、操作部３３を指先で操作でき、力を要しないため、老若男女の誰もが操作しやすいようにすることができる。
【００５１】
以上、本発明の実施形態について説明したが、本発明の適用は本実施形態には限られず、その技術的思想の範囲内において様々に適用されうるものである。
【符号の説明】
【００５２】
１    枠体
２    障子
３    網戸
２０    上框
２１    下框
２２    縦框
３０    固定装置
３１    本体部
３１ａ  角構成部
３１ｂ  挿入部
３１ｃ  収納部
３１ｄ  室内面
３１ｅ  挿通孔
３１ｆ  係止部
３１ｈ  被嵌合部
３２    可動部
３２ａ  可動本体部
３２ｂ  係合掛部
３２ｃ  連係孔
３２ｄ  挿通突起
３３    操作部
３３ａ  室内露出部
３３ｂ  連係部
３３ｅ  嵌合部
３４    付勢部材
４０    連結部材
４１    本体部
４１ａ  角構成部
４１ｂ  挿入部
４１ｃ  係合掛部
【図１】
2012046875.tif 000003
【図２】
2012046875.tif 000004
【図３】
2012046875.tif 000005
【図４】
2012046875.tif 000006
【図５】
2012046875.tif 000007
【図６】
2012046875.tif 000008
【図７】
2012046875.tif 000009
【図８】
2012046875.tif 000010
【図９】
2012046875.tif 000011